【事件の表示】
　平成　８年特許願第１０８６２２号「画像処理装置およびプリントシステム」拒絶査定不服審判事件〔平成　９年１０月２１日出願公開、特開平　９−２７５５３９〕について、次のとおり審決する。
【結　論】
　本件審判の請求は、成り立たない。
【理　由】
　
第一　経緯等
　
１．手続
　本願は平成８年４月５日の出願である。
　本件は、本願についてされた拒絶査定（平成１７年８月３０日付け）を不服とする平成１７年１０月６日の審判の請求である。
　
２．査定
　原査定の理由は、概略、下記のとおりである。
　　　　　記（査定の理由）
　本願各発明（請求項１から請求項４までに係る発明）は、いずれも、下記刊行物に記載された各発明及び周知技術に基づいて当業者が容易に発明をすることができたものであるから、特許法第２９条第２項の規定により、特許を受けることができない。
　　　　　記
　刊行物１：特開平８−７９６９３号公報
　刊行物２：特開平７−２９８１９１号公報
　刊行物３：特開平４−３３６８８７号公報（周知技術）
　刊行物４：特開平８−７９６９２号公報（周知技術）
　
第二　本願発明
　
　本願の請求項１から請求項４までに係る発明は、本願明細書及び図面（平成１７年８月８日付けの手続補正書により補正された明細書及び図面）の記載からみて、それぞれ、その特許請求の範囲の請求項１から請求項４までに記載したとおりのものであると認める。
　そのうち、請求項１および請求項４の記載は下記１のとおりであり、これによれば、請求項４に係る発明のうち請求項１を引用する発明（以下、本願発明ともいう）は下記２のとおりのものである。
　
　　　　　記１（請求項１および請求項４）
【請求項１】
　画像と前記画像とともに記録媒体から得られた文字とを合成する合成手段と、
　前記合成手段で合成された前記画像と前記文字とをプリンタに出力する出力手段とを有し、
　前記画像と前記文字とが重ならないプリントが選択された場合は、前記合成手段で前記画像と前記文字とを重ねないように合成し、前記合成手段で合成された前記画像と前記文字とを前記出力手段に供給し、
　前記画像に前記文字を重ねるプリントが選択された場合は、前記合成手段で前記画像と前記文字とが重なるように合成し、前記合成手段で合成された前記画像と前記文字とを前記出力手段に供給することを特徴とする画像処理装置。
【請求項４】
　請求項１から３の何れかに記載の画像処理装置と、
　前記画像処理装置から出力された画像と文字とをプリントするプリンタとを有すること
　を特徴とするプリントシステム。
　
　　　　　記２（本願発明）
　画像と前記画像とともに記録媒体から得られた文字とを合成する合成手段と、
　前記合成手段で合成された前記画像と前記文字とをプリンタに出力する出力手段とを有し、
　前記画像と前記文字とが重ならないプリントが選択された場合は、前記合成手段で前記画像と前記文字とを重ねないように合成し、前記合成手段で合成された前記画像と前記文字とを前記出力手段に供給し、
　前記画像に前記文字を重ねるプリントが選択された場合は、前記合成手段で前記画像と前記文字とが重なるように合成し、前記合成手段で合成された前記画像と前記文字とを前記出力手段に供給することを特徴とする画像処理装置と、
　前記画像処理装置から出力された画像と文字とをプリントするプリンタとを有することを特徴とするプリントシステム。
　
第三　当審の判断
　
１．刊行物
　原査定の拒絶理由に引用された刊行物１（特開平８−７９６９３号公報）には、「ビデオプリンタ」に関し、図面と共に次に掲げる事項が記載されている。
　
　　（ア）「このビデオプリンタは、入力手段と、画像サイズ決定手段と、合成手段と、印字手段とを備える。」（段落0011）
　　（イ）「入力手段は、コメントのための文字あるいは図形の入力、及びビデオ画像の印字に関する種々の設定を行うものである。」（段落0012）
　　（ウ）「ＶＴＲ１２から出力されたＮＴＳＣ信号は、ビデオプリンタ１０の外部映像入力端子１１を介してＹ／Ｃ分離回路１３に入力される。このＹ／Ｃ分離回路１３は、ＮＴＳＣ信号を輝度信号（Ｙ）と色信号（Ｃ）とに分離し、デコーダ１４に出力する。デコーダ１４は、輝度信号（Ｙ）と色信号（Ｃ）とをイエロー、マゼンタ、シアンの３原色信号に変換するものである。」（段落0018）
　　（エ）「デコーダ１４から出力されたイエロー、マゼンタ、シアンの３原色信号はＡ／Ｄ変換器１５において、それぞれ、所定の階調数、例えば２５６階調数のデジタルビデオ信号に変換され、メモリ１６とスイッチ１７に供給される。」（段落0019）
　　（オ）「メモリ１６に書き込まれた画像データは制御部１８の制御に従って読み出され、画像合成部２３に転送される。」（段落0024）
　　（カ）「画像合成部２３は、制御部１８の制御に従って、印字する画像のサイズを決定する処理と、コメントが付けられる場合には印字する画像の画像データとコメントのイメージデータとを合成する処理を行うものである。」（段落0025）
　　（キ）「図１において画像合成部２３はスイッチ１７側への出力端子とラインメモリ２４側への出力端子の二つの出力端子を備えているが、いずれの出力端子から画像データを出力するかは制御部１８により制御される。具体的には、ユーザがＵＩ２８を操作することによって印字の実行を指示するまでは画像データはスイッチ１７側に出力される。これによってユーザはモニタ２２によって印字される画像を観察することができる。しかし、印字の実行が指示されると制御部１８は画像合成部２３に対して画像データをラインメモリ２４側に出力するように制御する。これによって画像の印字が行われる。」（段落0030）
　　（ク）「モニタ２２の画面にフリーズされた画像が表示されている状態において、ユーザがモード切り換えキーを操作してコメントプリントモードを選択すると、制御部１８は、コメントプリントモードが指定されたことを認識して、画像合成部２３に対して当該画像のサイズを最大サイズとし、更に当該最大サイズの画像データの画像の下側を１文字行分ＨD だけ削除することを指示する。これによって、画像合成部２３は上述した処理を行って、図２に示すような最大サイズの画像の下側が１文字行分ＨD だけ削除されたサイズの画像データを作成して出力する。」（段落0051）
　　（ケ）「そして、このときユーザがＵＩ２８を操作して「ＡＢＣＤＥ」というコメントを入力したとすると、制御部１８は当該コメントの各ドットパターンをＣＧ３１から読み出してＲＡＭ３２にイメージデータを展開し、印字位置に応じたタイミングでＲＡＭ３２からイメージデータを読み出す。これによって当該コメントのイメージデータは画像合成部２３に転送され、作成された画像データと合成される。」（段落0052）
　　（コ）「そこで、この第２の実施例においては、コメントプリントモードにおいてもフリーズされたビデオ画像の全てを印字するようにするのである。このための処理としては、メモリ１６から転送されてきた画像データに対して、その縦と横のサイズの比率は一定に保ったまま、最大サイズの下側１文字行分ＨD を除いた領域、即ち縦が（Ｈ０−ＨD）、横がＷ０のサイズの領域内に最大限に収まるサイズに変換する処理を施せばよい。」（段落0058）
　　（サ）「このことから、この場合には、メモリ１６に取り込まれる画像の縦と横をそれぞれ（Ｈ０−ＨＤ）／ＶＨ×１００（％）だけ縮小あるいは
拡大すればよいことが分かる。」（段落0060）
　　（シ）「そして、画像合成部２３は、以上の処理を行った後に、当該画像データとコメントのイメージデータとを合成して出力する。その他については上述した第１の実施例と同様である」（段落0061）
　　（ス）「このようにするためには、例えば、コメントプリントモードを選択した場合において、第１の実施例のように最大サイズに変換して、更にその下側１文字行分を切り取るモード（以下、第１モード）と、第２の実施例のように最大サイズの下側１文字行分を除いた領域にビデオ画像を最大限の大きさで印字するモード（以下、第２モードと称す）とのいずれかを選択するキーあるいはメニューをＵＩ２８に設ければよい。」（段落0065）
　
２．対比
　本願発明と刊行物１記載の発明とを対比すると以下の対応が認められる。
　（ａ）「合成手段」
　刊行物１では、ＶＴＲ１２から出力されたＮＴＳＣ信号は、ビデオプリンタ１０の外部映像入力端子１１に入力され、その後、輝度信号（Ｙ）と色信号（Ｃ）とに分離され（Ｙ／Ｃ分離回路１３）、イエロー、マゼンタ、シアンの３原色信号に変換され（デコーダ１４）、それぞれ、例えば２５６階調数のデジタルビデオ信号に変換され（Ａ／Ｄ変換器１５）、メモリ１６に供給される（記載ウ、エ）。メモリ１６に書き込まれた画像データは画像合成部２３に転送され（記載オ）、画像合成部２３は、コメントが付けられる場合には、印字する画像の画像データとコメントの文字のイメージデータとを合成する（記載カ）。
　刊行物１の画像合成部２３は、本願発明の「画像と文字とを合成する合成手段」に相当する。
　もっとも、刊行物１では、コメントのための文字は「入力手段」から入力しており（記載ア）、これを、「画像とともに記録媒体から得られた文字」とする本願発明とは相違が認められる。
　（ｂ）「出力手段」
　刊行物１の画像合成部２３が本願発明の「画像と文字とを合成する合成手段」に相当することは前記のとおりであるところ、画像合成部２３はラインメモリ２４側への出力端子を備えている（記載キ）。
　刊行物１の「ラインメモリ２４側への出力端子」は、本願発明の「合成手段で合成された画像と文字とを出力する出力手段」に相当する。
　（ｃ）プリントの選択
　刊行物１では、コメントプリントモードを選択した場合において、「第１モード」（第１の実施例）と、「第２モード」（第２の実施例）とのいずれかを選択する。（記載ス）
　刊行物１における、「第１モードと第２モードの選択」は、本願発明の「プリントが選択（された場合）」に相当する。
　（ｃ１）「重ならないプリントが選択された場合」
　「第２モード」（最大サイズの下側１文字行分を除いた領域にビデオ画像を最大限の大きさで印字するモード）は、フリーズされたビデオ画像の全てを印字するもので、メモリ１６から転送されてきた画像データに対して、その縦と横のサイズの比率は一定に保ったまま、最大サイズの下側１文字行分ＨＤを除いた領域（縦が（Ｈ０−ＨＤ）、横がＷ0 のサイズの領域）内に最大限に収まるように、縦と横をそれぞれ（Ｈ０−ＨＤ）／ＶＨ×１００（％）だけ縮小する処理を行った後、画像合成部２３が、当該画像データとコメントのイメージデータとを合成して出力する。（記載コ、サ、シ、図４）
　刊行物１において、「第２モード」は本願発明の「画像と文字とが重ならないプリント」に相当し、コメントプリントモード時に「第２モード」を選択することは、本願発明の「画像と文字とが重ならないプリントが選択された場合は、合成手段で画像と文字とを重ねないように合成し、合成手段で合成された画像と文字とを前記出力手段に供給」することに相当する。
　（ｃ２）「重ねるプリントが選択された場合」
　「第１モード」（最大サイズに変換して、更にその下側１文字行分を切り取るモード）は、メモリ１６から転送されてきた画像データに対して、当該画像のサイズを最大サイズとし、更に当該最大サイズの画像データの画像の下側を１文字行分ＨＤだけ削除し、削除された１文字行分ＨＤの領域にコメントのイメージデータを合成するものである。（記載ク、ケ、図２）
　刊行物１において、「第１モード」は本願発明の「画像に文字を重ねるプリント」に相当し、コメントプリントモード時に「第１モード」を選択することは、本願発明の「画像に文字を重ねるプリントが選択された場合は、合成手段で画像と文字とが重なるように合成し、合成手段で合成された画像と文字とを出力手段に供給すること」に相当する。
　もっとも、画像と文字とを重ねる態様について、刊行物１では、画像の下側１文字行分の領域を削除し１文字行分の文字を合成しているのに対して、本願発明は、「画像の一部分を覆い隠す状態」（本願明細書の段落0052）で文字を合成しており、相違が認められる。
　（ｄ）「画像処理装置」、「プリンタ」および「プリントシステム」
　刊行物１のビデオプリンタは、「入力手段と、画像サイズ決定手段と、合成手段と、印字手段とを備える」（記載ア）ものであり、機能に対応して各手段を区別していることが認められる。
　刊行物１における「入力手段、画像サイズ決定手段および合成手段」、「印字手段」及び「ビデオプリンタ」は、それぞれ、本願発明の「画像処理装置」、「プリンタ」及び「プリントシステム」に相当する。
　もっとも、プリンタと画像処理装置とを別体とする本願発明とは相違が認められる。
　
３．一致点・相違点
　本願発明と刊行物１記載の発明との一致点及び相違点は、以下のとおりである。
　　　　　記（一致点）
　画像と文字とを合成する合成手段と、
　前記合成手段で合成された前記画像と前記文字とを出力する出力手段を有し、
　前記画像と前記文字とが重ならないプリントが選択された場合は、前記合成手段で前記画像と前記文字とを重ねないように合成し、前記合成手段で合成された前記画像と前記文字とを前記出力手段に供給し、
　前記画像に前記文字を重ねるプリントが選択された場合は、前記合成手段で前記画像と前記文字とが重なるように合成し、前記合成手段で合成された前記画像と前記文字とを前記出力手段に供給する画像処理装置と、
　前記画像処理装置から出力された画像と文字とをプリントするプリンタとを有することを特徴とするプリントシステム。
　　　　　記（相違点）
　〈相違点１〉
　「文字」が、
　本願発明では「画像とともに記録媒体から得られ（た）」るのに対して、刊行物１では、入力手段から入力される点。
　〈相違点２〉
　本願発明では、「画像処理装置」と「プリンタ」は別体であるのに対して、刊行物１では、「画像処理装置」と「プリンタ」はいずれもプリントシステム内の手段である点。
　〈相違点３〉
　「画像に文字を重ねるプリントが選択された場合」における文字を重ねる様態が、
　本願発明では、画像の一部分を覆い隠す状態で重ねるのに対して、刊行物１では、画像の下側１文字行分の領域を削除して、その領域に文字を重ねている点。
　
４．相違点の判断等
　〈相違点１について〉
　画像と文字を合成して印字する際に、画像とともに文字を記録媒体から得て合成する技術は周知である。これについては、例えば、査定で引用された刊行物３（特開平４−３３６８８７号公報（段落0049、段落0050、図３及び図６））、及び、同じく引用された刊行物２（特開平７−２９８１９１号公報（段落0032、段落0039、段落0042及び図６）が参照される。
　相違点１に係る構成は、上記周知の事項を参照して、刊行物１において、コメント（文字）をＶＴＲ１２（記録媒体）に映像信号（画像）とともに記録しコメント（文字）をＶＴＲ１２から映像信号とともに得るようにすることにより、当業者が容易になし得ることである。
　〈相違点２について〉
　プリンタを画像と文字の合成等の機能をする画像処理装置と別体にすることは周知である。これについては、例えば査定で引用された刊行物２（特開平７−２９８１９１号公報、図１）、及び、当審で引用する「特開平６−２２２６４号公報」（段落0019及び図１）が参照される。
　相違点２に係る構成は、刊行物１において、上記周知の事項を採用し、「印字手段」を「入力手段、画像サイズ決定手段および合成手段」（画像処理装置）とは別体とすることにより、当業者が容易になし得ることである。
　〈相違点３について〉
　画像と文字を重なるように合成する際に、画像の一部を覆い隠す状態で重ねることは周知である。これについては、例えば査定で引用された刊行物４（特開平８−７９６９２号公報、図２）、同じく引用された刊行物３（特開平４−３３６８８７号公報、図６）などが参照される。
　上記相違点３に係る構成は、刊行物１において、その重ねるプリントが選択された場合において、画像の下側１文字行分の領域を削除してその領域に文字を重ねる態様に代えて、周知の事項である画像の一部を覆い隠す状態で重ねる態様を採用することにより、当業者が容易になし得ることである。
　〈効果等について〉
　以上、本願発明の相違点１から相違点３までに係る各構成は当業者が容易になし得るところであるところ、これら相違点を総合しても格別の作用をなすとは認められない。本願発明の効果も、刊行物１の記載及び上記周知の事項から予測することができる程度のものに過ぎない。
　
５．まとめ
　以上、本願発明は、刊行物１に記載された発明および周知技術に基づいて当業者が容易に発明をすることができたものであるから、特許法第２９条第２項の規定により特許を受けることができない。
　
第四　むすび
　以上のとおりであるから、本願の請求項４に係る発明のうち請求項１を引用する発明は、刊行物１に記載された発明および周知技術に基づいて当業者が容易に発明をすることができたものであるから、特許法第２９条第２項の規定により特許を受けることができない。
　したがって、残る他の請求項に係る発明について特に検討するまでもなく、本願は拒絶されるべきものである。
　よって、結論のとおり審決する。